(57)【特許請求の範囲】
【請求項１】
クラウド名刺の推薦装置に適用されるクラウド名刺の推薦方法であって、
前記クラウド名刺の推薦装置が第一連絡人のクラウド名刺と、第二連絡人の端末に保存された連絡人情報と、を取得するステップと、前記クラウド名刺はクラウド名刺のアバターを含み、前記連絡人情報は連絡人のアバターを含み、
前記クラウド名刺の推薦装置が前記クラウド名刺のアバターと前記連絡人のアバターとを比較するステップと、
前記クラウド名刺のアバターと前記連絡人のアバターとがマッチングする場合、前記クラウド名刺の推薦装置が前記第一連絡人のクラウド名刺を前記第二連絡人に推薦するステップと、を含み、
前記クラウド名刺の推薦装置が前記クラウド名刺のアバターと前記連絡人のアバターとを比較するステップは、
前記クラウド名刺の推薦装置が前記クラウド名刺のアバターと前記連絡人のアバターとの第一類似度を算出するステップと、
前記第一類似度が予め設定された類似度に達した場合、前記クラウド名刺の推薦装置が前記クラウド名刺のアバターと前記連絡人のアバターとがマッチングすると決定するステップと、を含み、
前記第一類似度が予め設定された類似度に達した場合、前記クラウド名刺の推薦装置が
前記クラウド名刺のアバターと前記連絡人のアバターとを比較するステップは、
前記クラウド名刺の推薦装置がサーバに保存された全てのクラウド名刺のアバターと連絡人のアバターとでの前記クラウド名刺のアバター又は前記連絡人のアバターの出現回数を決定するステップと、
前記出現回数が予め設定された回数以下である場合、前記クラウド名刺の推薦装置が前記クラウド名刺のアバターと前記連絡人のアバターとがマッチングすると決定するステップと、を更に含む、
ことを特徴とするクラウド名刺の推薦方法。
【請求項２】
前記クラウド名刺の推薦装置が前記クラウド名刺のアバターと前記連絡人のアバターとを比較するステップは、
前記クラウド名刺の推薦装置が前記クラウド名刺のアバターと前記連絡人のアバターとから顔画像をそれぞれ抽出するステップと、
前記クラウド名刺の推薦装置が前記クラウド名刺のアバターの顔画像と前記連絡人のアバターの顔画像とを比較するステップと、
前記クラウド名刺のアバターの顔画像と前記連絡人のアバターの顔画像とがマッチングする場合、前記クラウド名刺の推薦装置が前記クラウド名刺のアバターと前記連絡人のアバターとがマッチングすると決定するステップと、を含む、
ことを特徴とする請求項１に記載の方法。
【請求項３】
前記出現回数が予め設定された回数より多い場合、前記クラウド名刺の推薦装置が前記出現回数と前記第一類似度とに基づいて、前記クラウド名刺のアバターと前記連絡人のアバターとの第二類似度を算出し、前記出現回数が多いほど前記第一類似度に対して前記第二類似度が小さくなるステップと、
前記クラウド名刺の推薦装置が前記第二類似度が前記予め設定された類似度に達したか否かを判断するステップと、
前記第二類似度が前記予め設定された類似度に達していない場合、前記クラウド名刺の推薦装置が前記クラウド名刺のアバターと前記連絡人のアバターとがマッチングしないと決定するステップと、を更に含む、
ことを特徴とする請求項１に記載の方法。
【請求項４】
前記クラウド名刺の推薦装置が前記クラウド名刺のアバターと前記連絡人のアバターとを正規化処理し、前記クラウド名刺のアバターと前記連絡人のアバターとの標準アバターを取得するステップと、
前記クラウド名刺の推薦装置が前記標準アバターから予め設定された規則により特徴点を抽出するステップと、を更に含み、
前記クラウド名刺の推薦装置が前記クラウド名刺のアバターと前記連絡人のアバターとを比較するステップは、
前記クラウド名刺の推薦装置が前記クラウド名刺のアバターの標準アバターの特徴点と前記連絡人のアバターの標準アバターの特徴点とを比較するステップと、
前記クラウド名刺の推薦装置が特徴点の比較結果に基づいて、前記クラウド名刺のアバターと前記連絡人のアバターとがマッチングするか否かを決定するステップと、を含む、
ことを特徴とする請求項１に記載の方法。
【請求項５】
前記クラウド名刺の推薦装置が前記クラウド名刺のアバターの顔画像と前記連絡人のアバターの顔画像とを正規化処理し、前記クラウド名刺のアバターの標準顔画像と前記連絡人のアバターの標準顔画像とを取得するステップと、
前記クラウド名刺の推薦装置が前記標準顔画像から予め設定された規則により特徴点を抽出するステップと、を更に含み
前記クラウド名刺の推薦装置が前記クラウド名刺のアバターの顔画像と前記連絡人のアバターの顔画像とを比較するステップは、
前記クラウド名刺の推薦装置が前記クラウド名刺のアバターの標準顔画像の特徴点と前記連絡人のアバターの標準顔画像の特徴点とを比較するステップと、
前記クラウド名刺の推薦装置が特徴点の比較結果に基づいて、前記クラウド名刺のアバターの顔画像と前記連絡人のアバターの顔画像とがマッチングするか否かを決定するステップと、を含む、
ことを特徴とする請求項２に記載の方法。
【請求項６】
第一連絡人のクラウド名刺と、第二連絡人の端末に保存された連絡人の情報とを取得し、前記クラウド名刺は名刺のアバターを含み、前記連絡人の情報は連絡人のアバターを含む取得モジュールと、
前記クラウド名刺のアバターと前記連絡人のアバターとを比較する比較モジュールと、
前記クラウド名刺のアバターと前記連絡人のアバターとがマッチングする場合、前記第一連絡人のクラウド名刺を前記第二連絡人に推薦する推薦モジュールと、を含み、
前記比較モジュールは、
前記クラウド名刺のアバターと前記連絡人のアバターとの第一類似度を算出する第一計算サブモジュールと、
前記第一類似度が予め設定された類似度に達した場合、前記クラウド名刺のアバターと前記連絡人のアバターとがマッチングすると決定する第一決定サブモジュールと、を含み、
前記比較モジュールは、
前記第一類似度が予め設定された類似度に達した場合、サーバに保存された全てのクラウド名刺のアバターと連絡人のアバターとでの前記クラウド名刺のアバター又は前記連絡人のアバターの出現回数を決定する第三決定サブモジュールと、
前記出現回数が予め設定された回数以下である場合、前記クラウド名刺のアバターと前記連絡人のアバターとがマッチングすると決定する第四決定サブモジュールと、を更に含む、
ことを特徴とするクラウド名刺の推薦装置。
【請求項７】
前記比較モジュールは、
前記クラウド名刺のアバターと前記連絡人のアバターとから顔画像をそれぞれ抽出する抽出サブモジュールと、
前記クラウド名刺のアバターの顔画像と前記連絡人のアバターの顔画像とを比較する比較サブモジュールと、
前記クラウド名刺のアバターの顔画像と前記連絡人のアバターの顔画像とがマッチングする場合、前記クラウド名刺のアバターと前記連絡人のアバターとがマッチングすると決定する第二決定サブモジュールと、を含む、
ことを特徴とする請求項６に記載の装置。
【請求項８】
前記比較モジュールは、
前記出現回数が予め設定された回数より多い場合、前記出現回数と前記第一類似度とに基づいて、前記クラウド名刺のアバターと前記連絡人のアバターとの第二類似度を算出し、前記出現回数が多いほど、前記第一類似度に対して前記第二類似度が小さくなる第二計算サブモジュールと、
前記第二類似度が前記予め設定された類似度に達したか否かを判断する判断サブモジュールと、
前記第二類似度が前記予め設定された類似度に達していない場合、前記クラウド名刺のアバターと前記連絡人のアバターとがマッチングしないと決定する第五決定サブモジュールと、を更に含む、
ことを特徴とする請求項６に記載の装置。
【請求項９】
前記装置は、
前記クラウド名刺のアバターと前記連絡人のアバターとを正規化処理し、クラウド名刺のアバターの標準アバターと前記連絡人のアバターの標準アバターとを取得する第一処理モジュールと、
予め設定された規則により、前記標準アバターから特徴点を抽出する第一抽出モジュールと、を更に含み、
前記比較モジュールは、
前記クラウド名刺のアバターの標準アバターの特徴点と前記連絡人のアバターの標準アバターの特徴点とを比較する比較サブモジュールと、
特徴点の比較結果に基づいて、前記クラウド名刺のアバターと前記連絡人のアバターとがマッチングするか否かを決定する第六決定サブモジュールと、を更に含む、
ことを特徴とする請求項６に記載の装置。
【請求項１０】
前記装置は、
前記クラウド名刺のアバターの顔画像と前記連絡人のアバターの顔画像とを正規化処理し、前記クラウド名刺のアバターの標準顔画像と前記連絡人のアバターの標準顔画像とを取得する第二処理モジュールと、
予め設定された規則により前記標準顔画像から特徴点を抽出する第二抽出モジュールと、を更に含み、
前記比較サブモジュールは、前記クラウド名刺のアバターの標準顔画像と前記連絡人のアバターの標準顔画像との特徴点を比較し、特徴点の比較結果に基づいて、前記クラウド名刺のアバターの顔画像と前記連絡人のアバターの顔画像とがマッチングするか否かを決定することを特徴とする請求項７に記載の装置。
【請求項１１】
コンピュータを動作させるとき、請求項１〜５のいずれかの一項に記載のクラウド名刺の推薦方法をコンピュータに実行させるコンピュータプログラム。
【請求項１２】
請求項１１に記載のコンピュータプログラムが記憶されたコンピュータ読取可能記録媒体。
【発明の詳細な説明】
【技術分野】
【０００１】
本出願は、２０１５年５月２６日に出願された中国特許出願第２０１５１０２７６６０３．９号に基づく優先権を主張し、当該中国特許出願に記載された全ての内容は完全に本明細書で参照により組み込まれる。
【０００２】
本発明は、コンピュータ技術分野に関し、より具体的には、クラウドの名刺推薦方法及び装置に関する。
【背景技術】
【０００３】
関連技術において、コンピュータ技術の急速な発展に伴い、スマート端末が既に人々に日常的に使用されている。スマート端末において、いくつかのソーシャルアプリケーションをインストールすることができる。ユーザは、連絡人と一致していない連絡人の情報及び連絡人のアバターをソーシャルアプリケーションに記録している。そして、ユーザは、これらの連絡人の情報及び連絡人のアバターをサーバにアップロードし、クラウド名刺を作成して開示し、他のユーザに当該連絡人のクラウド名刺を見せる。
【発明の概要】
【発明が解決しようとする課題】
【０００４】
本発明は、連絡人のクラウド名刺を他のユーザに推薦する際に、推薦したクラウド名刺の正確率を向上させるためのクラウド名刺の推薦方法及び装置を提供する。
【課題を解決するための手段】
【０００５】
本発明の実施形態における第一の面によれば、クラウド名刺の推薦方法を提供し、当該方法は、第一連絡人のクラウド名刺と、第二連絡人の端末に保存された連絡人情報と、を取得するステップと、前記クラウド名刺はクラウド名刺のアバターを含み、前記連絡人の情報は連絡人のアバターを含み、前記クラウド名刺と前記連絡人のアバターと比較するステップと、前記クラウド名刺と前記連絡人のアバターとがマッチングする場合は、前記第一連絡人のクラウド名刺を前記第二連絡人に推薦するステップと、を含む。
【０００６】
本出願に開示された実施例による発明は以下の有益な効果を含む。サーバから連絡人のアバターとマッチングする第一連絡人のクラウド名刺を取得し、第一連絡人のクラウド名刺を第二連絡人に推薦する。アバダーに基づいて、サーバのクラウド名刺と第二連絡人の端末に保存された連絡人の情報とがマッチングするか否かを判断する。これにより、クラウド名刺を第二連絡人に推薦する際、クラウド名刺と連絡人の情報とがマッチングする正確率が向上する。
【０００７】
前記クラウド名刺のアバターと前記連絡人のアバターとを比較するステップは、
前記クラウド名刺のアバターと前記連絡人アバターとの第一類似度を算出するサブステップと、
前記類似度が予め設定された値に達した場合、前記クラウド名刺のアバターと前記連絡人のアバターとがマッチングすることを決定するサブステップと、を含む。
【０００８】
本出願に開示された実施例による発明は以下の有益な効果を含む。第一類似度の判断によってクラウド名刺のアバターと連絡人のアバターとがマッチングするか否かを決定する。同じ人のクラウド名刺のアバターと連絡人のアバターとが必ずしもマッチングするわけではないことから、第一類似度が予め設定された類似度に達した場合、クラウド名刺と連絡人の情報とが同じ人のものであると決定する。これにより、クラウド名刺を第二連絡人に推薦する場合にクラウド名刺と連絡人の情報とがマッチングする正確率がさらに向上する。
【０００９】
前記クラウド名刺と前記連絡人のアバターとを比較するステップは、前記クラウド名刺のアバターと前記連絡人のアバターとから顔画像をそれぞれ抽出するサブステップと、
前記クラウド名刺の顔画像と前記連絡人のアバターの顔画像とを比較するサブステップと、
前記クラウド名刺の顔画像と前記連絡人のアバターの顔画像とがマッチングする場合、前記クラウド名刺のアバターと前記連絡人のアバターとがマッチングすると決定するサブステップと、を含む。
【００１０】
本出願に開示された実施例による発明は以下の有益な効果を含む。クラウド名刺のアバターと連絡人のアバターとから抽出した顔画像によって、クラウド名刺のアバターと連絡人のアバターとがマッチングするか否かを決定する。クラウド名刺のアバターの顔画像と連絡人のアバターの顔画像とがマッチングする場合、クラウド名刺と連絡人の情報とが同じ人のものであると決定する。これにより、クラウド名刺のアバターの顔画像と連絡人のアバターの顔画像とがマッチングするか否かのスピードが向上し、クラウド名刺を第二連絡人に推薦する場合、クラウド名刺の情報と連絡人の情報とがマッチングする正確率がさらに向上する。
【００１１】
前記第一類似度が予め設定された値に達した場合、前記クラウド名刺のアバターと前記連絡人のアバターとを比較するステップは、
前記サーバに格納した全てのクラウド名刺のアバターと連絡人のアバターとでの前記クラウド名刺のアバター又は前記連絡人のアバターの出現回数を決定するサブステップと、
前記出現回数が予め設定された回数以下である場合、前記クラウド名刺のアバターと前記連絡人のアバターとがマッチングすると決定するサブステップと、を含む。
【００１２】
本出願に開示された実施例による発明は以下の有益な効果を含む。異なる連絡人は連絡人のアバター又はクラウド名刺のアバターとして幾つかの同じネット画像を選択することができる。クラウド名刺又は連絡人のアバターの出現回数が予め設定された回数より多くなると、当該アバターが同じ人のクラウド名刺又は連絡人のアバターではなく複数の連絡人又はクラウド名刺のアバターであると決定する。そのため、出現回数が予め設定された回数以下である場合、クラウド名刺のアバターが連絡人のアバターとマッチングすると決定し、クラウド名刺のアバターと連絡人のアバターとがマッチングするか否かの正確率がさらに向上する。
【００１３】
出現回数が予め設定された回数より多くなると、前記クラウド名刺のアバターと前記連絡人のアバターとを比較するステップは、
出現回数と前記第一類似度とに基づいて前記クラウド名刺のアバターと前記連絡人のアバターとの第二類似度を算出するサブステップと、前記出現回数が多いほど前記第一類似度に対して前記第二類似度が小さくなり、
前記第二類似度が前記予め設定された類似度に達するか否かを判断するサブステップと、
前記第二類似度が前記予め設定された類似度に達していない場合、前記クラウド名刺のアバターと前記連絡人のアバターとがマッチングしないと決定するサブステップと、を含む。
【００１４】
本出願に開示された実施例による発明は以下の有益な効果を含む。クラウド名刺のアバター又は連絡人のアバターの出現回数によりクラウド名刺のアバターと連絡人のアバターとの第二類似度を算出し、予め設定された類似度より第二類似度が小さい場合、クラウド名刺のアバターと連絡人のアバターとがマッチングしないと決定する。異なる連絡人は連絡人のアバター又はクラウド名刺のアバターとして幾つかの同じネット画像を選択することができる。クラウド名刺又は連絡人のアバターの出現回数が予め設定された回数より多いほど、クラウド名刺のアバターと連絡人のアバターとの類似度が小さくなり、当該アバターが同じ人のクラウド名刺又は連絡人のアバターではなく複数の連絡人又はクラウド名刺のアバターであることを決定することができる。そのため、予め設定された類似度より第二類似度が小さい場合、クラウド名刺のアバターと連絡人のアバターとがマッチングすることがなく、クラウド名刺のアバターと連絡人のアバターとがマッチングするか否かの正確率がさらに向上する。
【００１５】
前記方法は、
前記クラウド名刺のアバターと前記連絡人のアバターとを正規化処理し、前記クラウド名刺のアバターと前記連絡人のアバターとの標準アバターを取得するステップと、
前記標準アバターから予め設定された規則により特徴点を抽出するステップと、を含み
前記クラウド名刺のアバターと前記連絡人のアバターとの標準アバターを比較するステップは、
前記クラウド名刺のアバターと前記連絡人のアバターとの標準アバターの特徴点を比較するサブステップと、
特徴点の比較結果に基づいて前記クラウド名刺のアバターと前記連絡人のアバターとがマッチングするか否かを決定するサブステップと、を含む。
【００１６】
本出願に開示された実施例による発明は以下の有益な効果を含む。
クラウド名刺のアバターの標準アバターと、連絡人のアバターの標準アバターとの特徴点を比較することで、クラウド名刺のアバターと連絡人のアバターとがマッチングするか否かを決定する。これにより、クラウド名刺のアバターと連絡人のアバターとの比較スピードが向上し、クラウド名刺のアバターと連絡人のアバターとがマッチングするか否かの正確率が向上し、クラウド名刺を第二連絡人に推薦する際に、クラウド名刺と連絡人の情報とがマッチングする正確率がさらに向上する。
【００１７】
前記方法は、
前記クラウド名刺のアバターの顔画像と前記連絡人のアバターの顔画像とを正規化処理し、前記クラウド名刺のアバターと前記連絡人のアバターとの標準顔画像を取得するステップと、
前記標準顔画像から予め設定された規則により特徴点を抽出するステップと、を含み
前記クラウド名刺のアバターの標準顔画像と前記連絡人のアバターの標準顔画像とを比較するステップは、
前記クラウド名刺のアバターの標準顔画像と前記連絡人のアバターの標準顔画像との特徴点を比較するサブステップと、
特徴点の比較結果に基づいて前記クラウド名刺のアバターの顔画像と前記連絡人のアバターの顔画像とがマッチングするか否かを決定するサブステップと、を含む。
【００１８】
本出願に開示された実施例による発明は以下の有益な効果を含む。
クラウド名刺のアバターの標準顔画像と、連絡人のアバターの標準顔画像との特徴点を比較することで、クラウド名刺のアバターと連絡人のアバターとがマッチングするか否かを決定する。これにより、クラウド名刺のアバターと連絡人のアバターとの比較スピードが向上し、クラウド名刺のアバターと連絡人のアバターとがマッチングするか否かの正確率が向上し、クラウド名刺を第二連絡人に推薦する際に、クラウド名刺と連絡人の情報とがマッチングする正確率がさらに向上する。
【００１９】
本出願に開示された実施例の第二の面によれば、クラウド名刺の推薦装置を提供し、前記装置は、
第一連絡人のクラウド名刺と、第二連絡人の端末に保存された連絡人の情報とを取得し、前記クラウド名刺はクラウド名刺のアバターを含み、前記連絡人の情報は連絡人のアバターを含む取得モジュールと、
前記クラウド名刺のアバターと前記連絡人のアバターと比較する比較モジュールと、
前記クラウド名刺のアバターと前記連絡人のアバターとを比較する場合、前記第一連絡人のクラウド名刺を第二連絡人に推薦する推薦モジュールと、を含む。
【００２０】
前記比較モジュールは、
前記クラウド名刺のアバターと前記連絡人のアバターとの第一類似度を算出する第一計算サブモジュールと、
第一類似度が予め設定された類似度に達する場合、前記クラウド名刺のアバターと前記連絡人のアバターとがマッチングすると決定する第一決定サブモジュールと、を含む。
【００２１】
前記比較モジュールは、
前記クラウド名刺のアバターと前記連絡人のアバターとから、顔画像をそれぞれ抽出する抽出サブモジュールと、
前記クラウド名刺のアバターと前記連絡人のアバターとを比較する比較サブモジュールと、
前記クラウド名刺のアバターの顔画像と前記連絡人のアバターの顔画像とがマッチングする場合、前記クラウド名刺のアバターと前記連絡人のアバターとがマッチングすると決定する第二決定サブモジュールと、を含む。
【００２２】
前記比較モジュールは、
前記第一類似度が予め設定された類似度に達した場合、前記サーバに保存された全てのクラウド名刺のアバターと連絡人のアバターとでの前記クラウド名刺のアバター又は前記連絡人のアバターの出現回数を決定する第三決定サブモジュールと、
前記出現回数が予め設定された回数以下である場合、前記クラウド名刺のアバターと前記連絡人のアバターとがマッチングすると決定する第四決定サブモジュールと、を含む。
【００２３】
前記比較モジュールは、
前記出現回数が予め設定された回数より多い場合、前記出現回数と前記第一類似度とに基づいて、前記クラウド名刺のアバターと前記連絡人との第二類似度を算出し、前記出現回数が多いほど、前記第一類似度に対して前記第二類似度が小さくなる第二計算サブモジュールと、
前記第二類似度が前記予め設定された類似度に達したか否かを判断する判断サブモジュールと、
前記第二類似度が前記類似度に達していない場合、前記クラウド名刺のアバターと前記連絡人のアバターとがマッチングしないと決定する第五決定サブモジュールと、を含む。
【００２４】
前記比較モジュールは、
前記クラウド名刺のアバターと前記連絡人のアバターとを正規化処理し、クラウド名刺のアバターと前記連絡人のアバターとの標準アバターを取得する第一処理モジュールと、
予め設定された規則により前記標準アバターから特徴点を抽出する第一抽出モジュールと、を含む。
【００２５】
前記比較モジュールは、
前記クラウド名刺のアバターの標準アバターの特徴点と前記連絡人のアバターの標準アバターの特徴点とを比較する比較サブモジュールと、
特徴点の比較結果に基づいて、前記クラウド名刺のアバターと前記連絡人のアバターとがマッチングするか否かを決定する第六決定サブモジュールと、を含む。
【００２６】
前記装置は、
前記クラウド名刺のアバターの顔画像と前記連絡人のアバターの顔画像とを正規化処理し、前記クラウド名刺のアバターの標準顔画像と前記連絡人のアバターの標準顔画像とを取得する第二処理モジュールと、
予め設定された規則により前記標準顔画像から特徴点を抽出する第二抽出モジュールと、を更に含み、
前記比較サブモジュールは、前記クラウド名刺のアバターの標準顔画像の特徴点と前記連絡人のアバターの標準顔画像の特徴点とを比較し、特徴点の比較結果により前記クラウド名刺のアバターと前記連絡人のアバターとがマッチングするか否かを決定する。
【００２７】
本出願に開示された実施例の第三の面によれば、
プロセッサと、
プロセッサの実行可能な指令を保存するメモリと、を含むクラウド名刺の推薦装置であり、
前記プロセッサは、
第一連絡人のクラウド名刺と、第二連絡人の端末に保存された連絡人の情報とを取得し、前記クラウド名刺はクラウド名刺のアバターを含み、前記連絡人の情報は連絡人のアバターを含み、
前記クラウド名刺のアバターと前記連絡人のアバターとを比較し、
前記クラウド名刺のアバターと前記連絡人のアバターとがマッチングする場合、前記第一連絡人のクラウド名刺を前記第二連絡人に推薦する。
【００２８】
上記発明の概要および下記の詳細説明は、例示的な説明であって、本発明を限定するものではないことが理解される。
【図面の簡単な説明】
【００２９】
本明細書に組み込まれ、その一部を構成する添付の図面は、記載と共に、本発明と一致する実施形態を示し、本発明の原理を説明する役割を果たす。
【図１】図１は、一例示的実施形態によるクラウド名刺の推薦方法のフローチャートである。
【図２】図２は、一例示的実施形態によるクラウド名刺の推薦方法の詳細なフローチャートである。
【図３】図３は、一例示的実施形態によるクラウド名刺の推薦方法の詳細なフローチャートである。
【図４】図４は、一例示的実施形態によるクラウド名刺の推薦方法の詳細なフローチャートである。
【図５】図５は、一例示的実施形態によるクラウド名刺の推薦方法の詳細なフローチャートである。
【図６】図６は、一例示的実施形態によるクラウド名刺の推薦装置のブロック図である。
【図７】図７は、一例示的実施形態によるクラウド名刺の推薦装置の比較モジュールのブロック図である。
【図８】図８は、一例示的実施形態によるクラウド名刺の推薦装置の比較モジュールのブロック図である。
【図９】図９は、一例示的実施形態によるクラウド名刺の推薦装置の比較モジュールのブロック図である。
【図１０】図１０は、一例示的実施形態によるクラウド名刺の推薦装置の比較モジュールのブロック図である。
【図１１】図１１は、一例示的実施形態によるクラウド名刺の推薦装置のブロック図である。
【図１２】図１２は、一例示的実施形態によるクラウド名刺の推薦装置のブロック図である。
【図１３】図１３は、一例示的実施形態によるクラウド名刺の推薦装置のブロック図である。
【図１４】図１４は、一例示的実施形態によるクラウド名刺の推薦装置のブロック図である。
【発明を実施するための形態】
【００３０】
以下、添付の図面を参照し例示的実施例について詳細に説明する。以下の記載では、添付の図面について言及する場合に、特に明記されない限り、異なる図面における同じ参照符号が同じ又は類似の部材又は要素を表す。実施形態の下記の説明に記載の構成は、本発明と一致する全ての構成を示すものではなく、それらは単に、添付の請求項に記載の本発明に関連する態様と一致する装置及び方法の具体例に過ぎない。
【００３１】
関連技術において、コンピュータ技術の急速な発展に伴い、スマート端末が既に人々に日常的に使用されている。スマート端末において、いくつかのソーシャルアプリケーションをインストールすることができる。ユーザは、連絡人と一致していない連絡人の情報及び連絡人のアバターをソーシャルアプリケーションに記録する。そして、ユーザは、これらの連絡人の情報及び連絡人のアバターをサーバにアップロードし、クラウド名刺を作成して開示し、他のユーザに当該連絡人のクラウド名刺を見せることができる。
【００３２】
例えば、ユーザＡのクラウド名刺にはＡの名前、住所などの情報が保存される一方、ユーザＢの連絡先にはＡの名前、住所などの情報が保存されることがある。ユーザＡのクラウド名刺と、ユーザＢの連絡先に保存された連絡人Ａとがマッチングすると、ユーザＡのクラウド名刺をユーザＢに推薦する。
【００３３】
しかしながら、関連技術において、ユーザＡのクラウド名刺に保存されたＡの名前、住所などのユーザＡの情報と、ユーザＢの連絡先に保存された連絡人Ａの名前、住所などの情報とがマッチングしないことがある。
【００３４】
例えば、ユーザＡがユーザＢの父親である場合、ユーザＡが自分の「名前」が「王二」であることを含むクラウド名刺をアップロードする。しかしながら、ユーザＢの連絡先において、連絡人Ａの「名前」は「父」である。これにより、ユーザＡのクラウド名刺がユーザＢの連絡先の連絡人Ａの情報とマッチングしない。ユーザＡの「住所」がＡの自宅のアドレスであるが、ユーザＢの連絡先におけるユーザＡの「住所」がＡの勤め先のアドレスである場合、ユーザＡのクラウド名刺は、ユーザＢの連絡先における連絡人Ａの情報とマッチングしない。
【００３５】
本出願に開示された実施例は、連絡人のクラウド名刺を他のユーザに推薦する際に、推薦したクラウド名刺の正確率を向上させるためのクラウド名刺の推薦方法及びクラウド名刺の推薦装置を提供する。サーバから連絡人のアバターとマッチングする第一連絡人のクラウド名刺を取得し、第一連絡人のクラウド名刺を第二連絡人に推薦する。アバダーに基づいて、サーバにおけるクラウド名刺と第二連絡人の端末に保存された連絡人の情報とがマッチングするか否かを判断する。これにより、クラウド名刺を第二連絡人に推薦する際にクラウド名刺と端末に保存された連絡人の情報とがマッチングする正確率が向上する。
【００３６】
図１は、一例示的実施形態によるクラウド名刺の推薦方法のフローチャートであり、図１に示したように、クラウド名刺の推薦方法は、サーバに利用され、以下のステップを含む。
【００３７】
ステップＳ１１において、第一連絡人のクラウド名刺と、第二連絡人の端末に保存された連絡人の情報とを取得し、クラウド名刺はクラウド名刺のアバターを含み、連絡人の情報は連絡人のアバターを含む。
【００３８】
ステップＳ１２において、クラウド名刺のアバターと連絡人のアバターと比較する。
【００３９】
ステップＳ１３において、クラウド名刺のアバターと連絡人のアバターとがマッチングする場合、第一連絡人のクラウド名刺を第二連絡人に推薦する。
【００４０】
本出願に開示された実施例では、サーバから連絡人のアバターとマッチングする第一連絡人のクラウド名刺を取得し、第一連絡人のクラウド名刺を第二連絡人に推薦する、アバダーに基づいて、サーバのクラウド名刺と第二連絡人の端末に保存された連絡人の情報とがマッチングするか否かを判断する。これにより、クラウド名刺を第二連絡人に推薦する際にクラウド名刺と連絡人の情報とがマッチングする正確率を向上させるためのクラウド名刺の推薦方法を提供する。
【００４１】
別の方法として、例示的実施例において、ステップＳ１２は、ステップＡ１〜ステップＡ２として実施することもできる。ステップＡ１において、クラウド名刺のアバターと連絡人のアバターとの第一類似度を算出する。ステップＡ２において、第一類似度が予め設定された類似度に達した場合、クラウド名刺のアバターが連絡人のアバターとマッチングすると決定する。
【００４２】
上記方法により、第一類似度を判断することにより、クラウド名刺のアバターと連絡人のアバターとがマッチングするか否かを決定する。同じ人のクラウド名刺のアバターと、連絡人のアバターとはマッチングしない場合もあることから、第一類似度が予め設定された類似度に達した場合に、クラウド名刺と連絡人の情報とが同じ人であると決定する。これにより、クラウド名刺を第二連絡人に推薦する場合、クラウド名刺と連絡人の情報とのマッチングの正確率がさらに向上する。
【００４３】
別の方法として、一例示的実施例において、ステップＳ１２は、ステップＢ１〜ステップＢ３として実施することもできる。ステップＢ１において、クラウド名刺のアバターと連絡人のアバターとからそれぞれの顔画像を取得する。ステップＢ２において、クラウド名刺の顔画像と連絡人のアバターの顔画像とを比較する。ステップＢ３において、クラウド名刺の顔画像と連絡人のアバターの顔画像とがマッチングする場合、クラウド名刺のアバターと連絡人のアバターとがマッチングすると決定する。
【００４４】
上記方法により、クラウド名刺のアバターと連絡人のアバターとの顔画像を判定することにより、クラウド名刺のアバターと連絡人のアバターとがマッチングするか否かを決定する。クラウド名刺のアバターと連絡人のアバターとの顔画像がマッチングする場合は、クラウド名刺と連絡人の情報とが同じ人であると決定する。これにより、クラウド名刺のアバターと連絡人のアバターとの顔画像がマッチングするか否かの判定のスピートが向上し、クラウド名刺を第二連絡人に推薦する場合にクラウド名刺と連絡人の情報とのマッチングの正確率がさらに向上する。
【００４５】
別の方法として、一例示的実施例において、ステップＳ１２は、ステップＣ１〜ステップＣ２として更に実施することもできる。ステップＣ１において、第一類似度が予め設定された類似度に達した場合、サーバに保存された全てのクラウド名刺のアバター及び連絡人のアバターとでのクラウド名刺のアバター又は連絡人のアバターの出現回数を決定する。ステップＣ２において、出現回数が予め設定された回数以下である場合、クラウド名刺のアバターと連絡人のアバターとがマッチングすると決定する。
【００４６】
上記方法を採用し、人々が自分と合致しないネット画像を選択して自分のアバターとすることがある。クラウド名刺又は連絡人のアバターの出現回数が予め設定された回数より多くなると、当該アバターが同じ人のクラウド名刺又は連絡人のアバターではなく複数の連絡人又はクラウド名刺のアバターであると決定することができる。そのため、出現回数が予め設定された回数以下である場合、クラウド名刺のアバターと連絡人のアバターのアバターとがマッチングすると決定する。これにより、クラウド名刺のアバターと連絡人のアバターとがマッチングするか否かの正確率がさらに向上する。
【００４７】
別の方法として、ステップＣ２の後に、当該方法は、ステップＤ１〜ステップＤ３を更に実施することもできる。ステップＤ１において、出現回数が予め設定された回数より多くなると、出現回数と第一類似度とに基づいて、クラウド名刺のアバターと連絡人のアバターとの第二類似度を算出する。出現回数が多いほど、第一類似度に対して第二類似度が小さくなる。ステップＤ２において、第二類似度が予め設定された類似度に達したか否かを判断する。ステップＤ３において、第二類似度が前記予め設定された類似度に達していない場合に、クラウド名刺のアバターと連絡人のアバターとがマッチングしないと決定する。
【００４８】
上記方法により、クラウド名刺のアバター又は連絡人のアバターの出現回数により、クラウド名刺のアバターと連絡人のアバターとの第二類似度を算出する。予め設定された類似度より第二類似度が小さい場合、クラウド名刺のアバターと連絡人のアバターとがマッチングしないと決定する。多くの連絡人が連絡人のアバター又はクラウド名刺のアバターとしてマッチングするネット画像を選択することができる。クラウド名刺のアバター又は連絡人のアバターの出現回数が予め設定された回数より多くなるほど、クラウド名刺のアバターと連絡人のアバターとの類似度が小さくなる。これにより、当該アバターが同じ人のクラウド名刺又は連絡人のアバターではなく複数の連絡人又はクラウド名刺のアバターであると決定することができる。そのため、第二類似度が予め設定された類似度より小さい場合、クラウド名刺のアバターと連絡人のアバターとがマッチングしないと決定する。これにより、クラウド名刺のアバターと連絡人のアバターとがマッチングするか否かの正確率がさらに向上する。
【００４９】
別の方法として、一例示的実施例において、当該方法は、ステップＥ１〜ステップＥ２を更に実施することもできる。ステップＥ１において、クラウド名刺のアバターと連絡人のアバターとを正規化処理し、クラウド名刺のアバターと連絡人のアバターとの標準アバターを取得する。ステップＥ２において、標準アバターから予め設定された規則により特徴点を抽出する。この時、ステップＳ１２は、ステップＥ３〜ステップＥ４を更に実施することもできる。ステップＥ３において、クラウド名刺のアバターと連絡人のアバターとの標準アバターの特徴点を比較する。ステップＥ４において、特徴点の比較結果に基づいてクラウド名刺のアバターと連絡人のアバターとがマッチングするか否かを決定する。
【００５０】
別の方法として、クラウド名刺のアバターの標準アバターの特徴点と、連絡人のアバターの標準アバターの特徴点とを比較することで、クラウド名刺のアバターが連絡人のアバターとマッチングするか否かを決定する。これにより、クラウド名刺のアバターと連絡人のアバターとの比較スピードが向上し、クラウド名刺のアバターと連絡人のアバターとがマッチングするか否かの正確率が向上し、クラウド名刺を第二連絡人に推薦する際に、クラウド名刺と連絡人の情報とがマッチングする正確率がさらに向上する。
【００５１】
別の方法として、一例示的実施例において、当該方法は、ステップＦ１〜ステップＦ２を更に実施することもできる。ステップＦ１において、クラウド名刺のアバターの顔画像と連絡人のアバターの顔画像とを正規化処理し、クラウド名刺のアバターの標準顔画像と連絡人のアバターの標準顔画像とを取得する。ステップＦ２において、予め設定された規則により標準顔画像から特徴点を抽出する。この時、ステップＢ２は、ステップＦ３〜ステップＦ４として更に実施することもできる。ステップＦ３において、クラウド名刺のアバターの標準顔画像の特徴点と前記連絡人のアバターの標準顔画像の特徴点とを比較する。
ステップＦ４において、特徴点の比較結果に基づいて、クラウド名刺のアバターの顔画像と連絡人のアバターの顔画像とがマッチングするか否かを決定する。
【００５２】
上記方法により、クラウド名刺のアバターの標準顔画像と、連絡人のアバターの標準顔画像との特徴点を比較することで、クラウド名刺のアバターと連絡人のアバターとがマッチングするか否かを決定する。これにより、クラウド名刺のアバターと連絡人のアバターとの比較スピードが向上し、クラウド名刺のアバターと連絡人のアバターとがマッチングするか否かの判定の正確率が向上し、クラウド名刺を第二連絡人に推薦する際に、クラウド名刺と連絡人の情報とのマッチングの正確率がさらに向上する。
【００５３】
図２に示したように、本出願に開示された実施例は、クラウド名刺の推薦方法を提供し、具体的に以下のような実施ステップを含む。ステップＳ２１において、第一連絡人のクラウド名刺と、第二連絡人の端末に保存された連絡人の情報とを取得する。クラウド名刺はクラウド名刺のアバターを含み、連絡人の情報は連絡人のアバターを含む。サーバは、ローカルサーバからユーザＡのクラウド名刺を取得し、ユーザＢの端末からユーザＢが保存した連絡人の情報Ｃを取得する。
【００５４】
ステップＳ２２において、クラウド名刺のアバターと連絡人のアバターとの第一類似度を算出する。算出されたユーザＡのクラウド名刺のアバターと連絡人Ｃのアバターとの第一類似度は、０．８である。
【００５５】
ステップＳ２３において、第一類似度が予め設定された類似度に達した際に、サーバに保存された全てのクラウド名刺のアバターと連絡人のアバターとでのクラウド名刺のアバター又は連絡人のアバターとの出現回数を決定する。出現回数が予め設定された回数以下である場合、ステップＳ２４〜Ｓ２５を実行し、出現回数が予め設定された回数より多い場合、ステップＳ２６〜Ｓ２８を実行する。
【００５６】
予め設定された類似度が０.６である場合、ユーザＡのクラウド名刺のアバターと連絡人Ｃのアバターとの第一類似度が、予め設定された類似度に達することになる。この時、サーバに保存されたクラウド名刺のアバターと連絡人のアバターとでのユーザＡのクラウド名刺のアバターの出現回数は４回であり、サーバに保存されたクラウド名刺のアバターと連絡人のアバターとでの連絡人Ｃのアバターの出現回数は６回である。
【００５７】
ステップＳ２４において、出現回数が予め設定された回数以下である場合、クラウド名刺のアバターと連絡人のアバターとがマッチングすると決定する。
【００５８】
予め設定された回数が２０回である場合、サーバに保存されたクラウド名刺のアバターと連絡人のアバターとでのユーザＡのクラウド名刺のアバターの出現回数、及び、サーバに保存されたクラウド名刺のアバターと連絡人のアバターとでの連絡人Ｃのクラウド名刺のアバターの出現回数がいずれも予め設定された回数より少なくなる。この場合、ユーザＡのクラウド名刺のアバターと連絡人Ｃのアバターとがマッチングすると決定する。
【００５９】
ステップＳ２５において、クラウド名刺のアバターと連絡人のアバターとがマッチングする場合、第一連絡人のクラウド名刺を第二連絡人に推薦する。
【００６０】
ユーザＡのクラウド名刺のアバターと連絡人Ｃのアバターとがマッチングする場合、ユーザＡと連絡人Ｃとが同じ人であると決定する。この時、ユーザＡのクラウド名刺をユーザＢに推薦することができ、ユーザＢが連絡人Ｃに関してユーザＡの情報を保存することができる。
【００６１】
ステップＳ２６において、出現回数が予め設定された回数より多い場合、出現回数と第一類似度とに基づいて、クラウド名刺のアバターと連絡人のアバターとの第二類似度を算出する。出現回数が多いほど、第一類似度に対して第二類似度が小さくなる。
【００６２】
サーバに保存されたクラウド名刺のアバターと連絡人のアバターとでのユーザＡのクラウド名刺のアバターの出現回数が３０回であり、サーバに保存されたクラウド名刺のアバターと連絡人のアバターとので連絡人Ｃのクラウド名刺のアバターの出現回数が６０回であると、ユーザＡのクラウド名刺のアバターの出現回数と、連絡人Ｃのアバターの出現回数と、第一類似度とに基づいて、ユーザＡのクラウド名刺のアバターと連絡人Ｃのアバターとの第二類似度とを算出する。第二類似度は、ユーザＡのクラウド名刺のアバターの出現回数及び連絡人Ｃのアバターの出現回数と反比例する。その中で、出現回数を異なるレベルに分けることができる。各レベルは異なる加重値に対応し、加重値<１である。出現回数は加重値と反比例する。即ち、出現回数が増えると、加重値が小さくなる。第一類似度に加重値を乗じることにより、第二類似度を取得する。
【００６３】
第二類似度＝第一類似度×加重値。
【００６４】
例えば、本出願に開示された実施例において、ユーザＡのクラウド名刺のアバターの出現回数が３０回であり、連絡人Ｃのアバターの出現回数が６０回であると、比較するアバターの出現回数は９０回である。仮に９０回のアバターの出現回数が加重値０．５に対応すると、第二類似度は０．４と算出される。２００回のアバターの出現回数が加重値０．２に対応すると、第二類似度は０.１６と算出される。
【００６５】
ステップＳ２７において、第二類似度が予め設定された類似度に達したか否かを判断する。
【００６６】
第二類似度０.４が予め設定された類似度０.６に達しないことが知られる。
【００６７】
ステップＳ２８において、第二類似度が予め設定された類似度に達していない場合、クラウド名刺のアバターと連絡人のアバターとがマッチングしないと決定する。
【００６８】
第二類似度０.４が予め設定された類似度０.６に達しないため、ユーザＡのクラウド名刺のアバターと連絡人Ｃのアバターとは、類似のアバターを共有する二人の異なるユーザであると決定する。これにより、ユーザＡのクラウド名刺のアバターと連絡人Ｃのアバターとはマッチングしないと決定する。
【００６９】
本出願に開示された実施例はクラウド名刺の推薦方法を提供する。連絡人とマッチングする第一連絡人のクラウド名刺を、サーバから取得する。第一類似度の判断によってクラウド名刺のアバターが連絡人のアバターとマッチングするか否かを決定する。同じ人のクラウド名刺のアバターと連絡人のアバターとが必ずしもマッチングするわけではないことから、第一類似度が予め設定された類似度に達した場合、クラウド名刺と連絡人の情報とが同じ人のものであると決定する。第一類似度が予め設定された類似度に達した際、クラウド名刺のアバター又は連絡人のアバターの出現回数及び第二類似度により、異なる連絡人が同じアバターを使用する確率が排除される。上記方法により、クラウド名刺のアバターと連絡人のアバターとがマッチングするか否かの判断の正確率を向上し、クラウド名刺を第二連絡人に正確に推薦することができる。
【００７０】
図３に示したように、本出願に開示された実施例は、クラウド名刺の推薦方法を提供し、具体的に以下の実施ステップを含む。ステップＳ３１において、第一連絡人のクラウド名刺と、第二連絡人の端末に保存された連絡人の情報とを取得する。クラウド名刺はクラウド名刺のアバターを含み、連絡人の情報は連絡人のアバターを含む。サーバは、ローカルサーバからユーザＡのクラウド名刺を取得し、ユーザＢの端末からユーザＢが保存した連絡人Ｃの情報を取得する。
【００７１】
ステップＳ３２において、クラウド名刺のアバターと連絡人のアバターとから顔画像をそれぞれ抽出する。
【００７２】
ユーザＡのクラウド名刺のアバターと連絡人Ｃのアバターとから顔画像Ａ１、Ｃ１をそれぞれ抽出する。
【００７３】
ステップＳ３３において、クラウド名刺のアバターの顔画像と連絡人のアバターの顔画像とを比較する。
【００７４】
顔画像Ａ１と顔画像Ｃ１とを比較する。
【００７５】
ステップＳ３４において、クラウド名刺のアバターの顔画像と連絡人のアバターの顔画像とがマッチングする場合、クラウド名刺のアバターと連絡人のアバターとがマッチングすると決定する。
【００７６】
顔画像Ａ１と顔画像Ｃ１とがマッチングする場合、ユーザＡのクラウド名刺のアバターと連絡人Ｃのアバターとがマッチングすると決定する。
【００７７】
ステップＳ３５において、クラウド名刺のアバターと連絡人のアバターとがマッチングする場合、第一連絡人のクラウド名刺を第二連絡人に推薦する。
【００７８】
ユーザＡのクラウド名刺のアバターと連絡人Ｃのアバターとがマッチングする場合、ユーザＡと連絡人Ｃとが同じ人であると決定する。この時、ユーザＡのクラウド名刺をユーザＢに推薦することができ、ユーザＢが連絡人Ｃに関してユーザＡの情報を保存することができる。
【００７９】
本出願に開示された実施例はクラウド名刺の推薦方法を提供する。サーバから連絡人とマッチングする第一連絡人のクラウド名刺を取得する。クラウド名刺のアバターと連絡人のアバターとから抽出した顔画像によって、クラウド名刺のアバターと連絡人のアバターとがマッチングするか否かを決定する。クラウド名刺のアバターの顔画像と連絡人のアバターの顔画像とがマッチングする場合、クラウド名刺と連絡人の情報とが同じ人のものであると決定する。これにより、クラウド名刺のアバターと連絡人のアバターとの顔画像がマッチングするか否かのスピードが向上し、クラウド名刺を第二連絡人に推薦する場合、クラウド名刺と連絡人の情報とがマッチングする正確率がさらに向上する。
【００８０】
図４に示したように、本出願に開示された実施例はクラウド名刺の推薦方法を提供し、具体的に以下の実施ステップを含む。ステップＳ４１において、第一連絡人のクラウド名刺と、第二連絡人の端末に保存された連絡人の情報とを取得する。クラウド名刺はクラウド名刺のアバターを含み、連絡人の情報は連絡人のアバターを含む。サーバは、ローカルサーバからユーザＡのクラウド名刺を取得し、ユーザＢの端末からユーザＢが保存した連絡人Ｃの情報を取得する。ステップＳ４２において、クラウド名刺のアバターと連絡人のアバターとを正規化処理し、クラウド名刺のアバターの標準アバターと連絡人のアバターの標準アバターとを取得する。
【００８１】
サーバから連絡人の情報を取得する際、ユーザＡのクラウド名刺のアバターと連絡人Ｃのアバターとを正規化処理し、ユーザＡのクラウド名刺の標準アバターＤ１を取得し、連絡人Ｃのアバターの標準アバターＤ２を取得する。
【００８２】
ステップＳ４３において、予め設定された規則により、標準アバターから特徴点を抽出する。
【００８３】
特徴点を抽出する際、標準アバターＤ１及びＤ２から同じ数の特徴点を抽出する。例えば、抽出した特徴点の数が１００であるが、本願はこれに限定されず、これと異なる数の特徴点を抽出することができる。標準アバターＤ１から特徴点集合１を抽出し、抽出した特徴点集合１集合を保存し、標準アバターＤ２から特徴点集合２を抽出し、抽出した特徴点集合２集合を保存する。
【００８４】
ステップＳ４４において、クラウド名刺のアバターの標準アバターの特徴点と連絡人のアバターの標準アバターの特徴点とを比較する。
【００８５】
特徴点集合１及び特徴点集合２を比較し、特徴点集合１及び特徴点集合２が７８点の同じ特徴点を有することが分かる。
【００８６】
ステップＳ４５において、特徴点の比較結果により、クラウド名刺と連絡人のアバターとがマッチングするか否かを決定する。
【００８７】
ステップＳ４４の比較結果、特徴点集合１及び特徴点集合２が７８点の同じ特徴点を有することにより、ユーザＡのクラウド名刺のアバターと連絡人Ｃのアバターとがマッチングすると決定できる。
【００８８】
ステップＳ４６において、クラウド名刺のアバターと連絡人のアバターとがマッチングする場合、第一連絡人のクラウド名刺を第二連絡人に推薦する。
【００８９】
ユーザＡのクラウド名刺のアバターと連絡人Ｃのアバターとがマッチングする場合、ユーザＡと連絡人Ｃとが同じ人であると決定することができる。この時、ユーザＡのクラウド名刺をユーザＢに推薦することができ、ユーザＢが連絡人Ｃに関してユーザＡの情報を保存することができる。
【００９０】
本出願に開示された実施例はクラウド名刺の推薦方法を提供する。連絡人とマッチングする第一連絡人のクラウド名刺をサーバから取得する。クラウド名刺のアバターの標準アバターの特徴点と連絡人のアバターの標準アバターの特徴点とを比較し、クラウド名刺のアバターと連絡人のアバターとがマッチングするか否かを決定する。これにより、クラウド名刺のアバターと連絡人のアバターとを比較するスピードが向上し、またクラウド名刺のアバターと連絡人のアバターとがマッチングするか否かの正確率が向上し、クラウド名刺を第二連絡人に推薦する場合、クラウド名刺と連絡人の情報とがマッチングする正確率がさらに向上する。
【００９１】
図５に示したように、本出願に開示された実施例はクラウド名刺の推薦方法を提供し、具体的に以下の実施ステップを含む。ステップＳ５１において、第一連絡人のクラウド名刺と、第二連絡人の端末に保存された連絡人の情報とを取得する。クラウド名刺はクラウド名刺のアバターを含み、連絡人の情報は連絡人のアバターを含む。サーバは、ローカルサーバからユーザＡのクラウド名刺を取得し、ユーザＢの端末からユーザＢが保存した連絡人Ｃの情報を取得する。
【００９２】
ステップＳ５２において、クラウド名刺のアバターと連絡人のアバターとから、顔画像をそれぞれ抽出する。ユーザＡのクラウド名刺のアバターから顔画像Ｅ１を抽出し、連絡人Ｃのアバターから顔画像Ｅ２を抽出する。
【００９３】
ステップＳ５３において、クラウド名刺のアバターと連絡人のアバターとを正規化処理し、ユーザＡのクラウド名刺のアバターの標準顔画像を取得し、連絡人Ｃのアバターの標準顔画像を取得する。
【００９４】
ユーザＡのクラウド名刺の顔画像Ｅ１と連絡人Ｃの顔画像Ｅ２とを正規化処理し、ユーザＡのクラウド名刺の標準顔画像Ｆ１と、連絡人Ｃのアバターの標準顔画像Ｆ２とを取得する。
【００９５】
ステップＳ５４において、予め設定された規則により、標準顔画像から特徴点を抽出する。
【００９６】
特徴点を抽出する際に、標準顔画像Ｆ１及びＦ２から同じ数の特徴点を抽出する。例えば、抽出した特徴点の数は１００点であるが、本願はこれに限定されることはなく、他の数の特徴点を抽出することもできる。標準顔画像Ｆ１から特徴点集合１を抽出し、抽出した特徴点集合１を保存し、標準顔画像Ｆ２から特徴点集合２を抽出し、抽出した特徴点集合２を保存する。
【００９７】
ステップＳ５５において、クラウド名刺のアバターの標準顔画像の特徴点と連絡人のアバターの標準顔画像の特徴点とを比較する。
【００９８】
特徴点集合１及び特徴点集合２を比較し、特徴点集合１及び特徴点集合２が７８点の同じ特徴点を有することが分かる。
【００９９】
ステップＳ５６において、特徴点の比較結果により、クラウド名刺のアバターと連絡人のアバターとがマッチングするか否かを決定する。
【０１００】
ステップＳ５５の比較結果に基づいて、特徴点集合１及び特徴点集合２が７８点の同じ特徴点を有することにより、ユーザＡのクラウド名刺のアバターの顔画像Ｅ１と連絡人Ｃのアバターの顔画像Ｅ２とがマッチングすると決定することができる。
【０１０１】
ステップＳ５７において、クラウド名刺のアバターの顔画像と連絡人のアバターの顔画像とがマッチングする場合、クラウド名刺のアバターと連絡人のアバターとがマッチングすると決定する。
【０１０２】
ユーザＡのクラウド名刺のアバターの顔画像Ｅ１と連絡人Ｃのアバターの顔画像Ｅ２とがマッチングすることにより、ユーザＡのクラウド名刺のアバターと連絡人Ｃのアバターとがマッチングすると決定する。
【０１０３】
ステップＳ５８において、クラウド名刺のアバターと連絡人のアバターとがマッチングする場合、第一連絡人のクラウド名刺を第二連絡人に推薦する。
【０１０４】
ユーザＡのクラウド名刺のアバターと連絡人Ｃのアバターとがマッチングする場合、ユーザＡと連絡人Ｃとが同じ人であると決定することができる。この時、ユーザＡのクラウド名刺をユーザＢに推薦することができ、ユーザＢが連絡人Ｃに関してユーザＡの情報を保存することができる。
【０１０５】
本出願に開示された実施例はクラウド名刺の推薦方法を提供する。連絡人のアバターとマッチングする第一連絡人のクラウド名刺をサーバから取得する。クラウド名刺のアバターと連絡人のアバターとから抽出した顔画像を判断し、クラウド名刺のアバターの標準顔画像の特徴点と、連絡人のアバターの標準顔画像の特徴点とを比較し、クラウド名刺のアバターと連絡人のアバターとがマッチングするか否かを決定する。クラウド名刺のアバターの顔画像と連絡人のアバターの顔画像とがマッチングする場合、クラウド名刺と連絡人の情報とは同じ人のものであると決定する。これにより、クラウド名刺のアバターと連絡人のアバターとを比較するスピードが向上し、クラウド名刺のアバターと連絡人のアバターとがマッチングするか否かの正確率が向上し、クラウド名刺を第二連絡人に推薦する場合、クラウド名刺と連絡人の情報とがマッチングする正確率がさらに向上する。
【０１０６】
一実施例において、前記クラウド名刺のアバターと連絡人のアバターとがマッチングするとは、例えば、クラウド名刺のアバターと連絡人のアバターとが同じ顔を含むことと、クラウド名刺のアバターと連絡人のアバターとが同じ画像であること、又は、クラウド名刺のアバターと連絡人のアバターとの類似度が一定の閾値を超えることである。
【０１０７】
図６は一例示的実施形態によるクラウド名刺の推薦装置のブロック図である。図６に示したように、当該装置は以下の構成を含む。取得モジュール６１は、第一連絡人のクラウド名刺と、第二連絡人の端末に保存された連絡人の情報とを取得するように構成されている。クラウド名刺はクラウド名刺のアバターを含み、連絡人の情報は連絡人のアバターを含む。比較モジュール６２は、クラウド名刺のアバターと連絡人のアバターとを比較するように構成されている。推薦モジュール６３は、クラウド名刺のアバターと連絡人のアバターとがマッチングする場合、第一連絡人のクラウド名刺を第二連絡人に推薦するように構成されている。
【０１０８】
図７に示したように、比較モジュール６２は、第一計算サブモジュール７１と、第一決定サブモジュール７２と、を含む。第一計算サブモジュール７１は、クラウド名刺のアバターと連絡人のアバターとの類似度を算出するように構成されている。第一決定サブモジュール７２は、第一類似度が予め設定された類似度に達する場合、クラウド名刺のアバターと連絡人のアバターとがマッチングすると決定するように構成されている。
【０１０９】
図８に示したように、比較モジュール６２は、抽出サブモジュール８１と、第一比較サブモジュール８２と、第二決定サブモジュール８３と、を含む。抽出サブモジュール８１は、クラウド名刺のアバターと連絡人のアバターとから顔画像をそれぞれ抽出することに用いられている。第一比較サブモジュール８２は、クラウド名刺のアバターの顔画像と連絡人のアバターの顔画像とを比較する。第二決定サブモジュール８３は、クラウド名刺のアバターの顔画像と前記連絡人のアバターの顔画像とがマッチングする場合、クラウド名刺のアバターと連絡人のアバターとがマッチングすると決定するように構成されている。
【０１１０】
図９に示したように、比較モジュール６２は、第三決定サブモジュール９１と、第四決定サブモジュール９２と、を更に含む。第三決定サブモジュール９１は、第一類似度が予め設定された類似度に達した場合、クラウド名刺のアバター又は連絡人のアバターの前記サーバに保存された全てのクラウド名刺のアバターと連絡人のアバターとでの出現回数を決定するように構成されている。第四決定サブモジュール９２は、出現回数が予め設定された回数以下である場合、クラウド名刺のアバターと連絡人のアバターとがマッチングすると決定するように構成されている。
【０１１１】
図１０に示したように、比較モジュールは、第二計算サブモジュール１０１と、判断サブモジュール１０２と、第五決定サブモジュール１０３と、を更に含む。第二計算サブモジュール１０１は、出現回数が予め設定された回数より多い場合、出現回数と第一類似度とに基づいて、クラウド名刺のアバターと連絡人のアバターとの第二類似度を算出するように構成されている。出現回数が多いほど、第一類似度に対して前記第二類似度が小さくなる。判断サブモジュール１０２は、第二類似度が予め設定された類似度に達したか否かを判断するように構成されている。第五決定サブモジュール１０３は、第二類似度が類似度に達していない場合、クラウド名刺のアバターと連絡人のアバターとがマッチングしないと決定するように構成されている。
【０１１２】
図１１に示したように、当該装置は、第一処理モジュール１１１と、第一抽出モジュール１１２と、を更に含む。第一処理モジュール１１１は、クラウド名刺のアバターと連絡人のアバターとを正規化処理し、クラウド名刺のアバターと連絡人のアバターとの標準アバターを取得するように構成されている。第一抽出モジュール１１２は、予め設定された規則により標準アバターから特徴点を抽出するように構成されている。
【０１１３】
比較モジュール６２は、第二比較サブモジュール１１３と、第六決定サブモジュール１１４と、を含む。第二比較サブモジュール１１３は、クラウド名刺のアバターの標準アバターの特徴点と連絡人のアバターの標準アバターの特徴点とを比較するように構成されている。
第六決定サブモジュール１１４は、特徴点の比較結果に基づいて、クラウド名刺のアバターと連絡人のアバターとがマッチングするか否かを決定するように構成されている。
【０１１４】
図１２に示したように、当該装置は、以下の構成を更に含む。第二処理モジュール１２１は、クラウド名刺のアバターの顔画像と連絡人のアバターの顔画像とを正規化処理し、クラウド名刺のアバターの標準顔画像と連絡人のアバターの標準顔画像とを取得するように構成されている。第二抽出モジュール１２２は、予め設定された規則により、標準顔画像から特徴点を抽出するように構成されている。第一比較サブモジュール８２は、また、クラウド名刺のアバターの標準顔画像と前記連絡人のアバターの標準顔画像との特徴点を比較するように構成され、特徴点の比較結果に基づいて、クラウド名刺のアバターの顔画像と連絡人の顔画像とがマッチングするか否かを決定する。
【０１１５】
上記実施形態の装置に関して、個々のモジュールの動作を行うための具体的な方法については、クラウド名刺の推薦方法に関する実施形態において既に詳述したことから、ここでは繰り返さない。
【０１１６】
図１３は一例示的実施形態によるクラウド名刺の推薦装置１３００のブロック図である。例えば、装置１３００は、携帯電話、コンピュータ、デジタル放送端末、メッセージ送受信機、ゲームコンソール、タブレット、医療設備、フィットネス設備、携帯情報端末等とすることができる。
【０１１７】
図１３に示したように、装置１３００は、プロセシング部１３０２と、メモリ１３０４と、電力部１３０６と、マルチメディア部１３０８と、オーディオ部１３１０と、入出力（Ｉ／Ｏ）インタフェース１３１２と、センサ部１３１４と、通信部１３１６と、のうちの一つ又は複数を含むことができる。
【０１１８】
プロセシング部１３０２は、通常、装置１３００の全体の操作を制御し、例えば、表示、通話、データ通信、カメラ操作、及び、記録操作等に関連する操作を制御する。プロセシング部１３０２は、上述した方法の全てのステップ又は一部を行うために、一つ又は複数のプロセッサ１３２０を有することができる。更に、プロセシング部１３０２は、当該プロセシング部１３０２と他の部との間の相互作用を容易にするために、一つ又は複数のモジュールを備えることができる。例えば、プロセシング部１３０２は、マルチメディア部１３０８とプロセシング部１３０２との間の相互作用を容易にするために、マルチメディアモジュールを備えることができる。
【０１１９】
メモリ１３０４は、装置１３００の操作をサポートするために、種々のデータを格納するように構成されている。当該データは、具体的に、装置１３００で実行される任意のアプリケーション又は方法のための命令、連絡人データ、電話帳データ、メッセージ、写真、ビデオ等を含む。メモリ１３０４は、スタティックランダムアクセスメモリ（ＳＲＡＭ）、電気消去可能プログラマブル読取専用メモリ（ＥＥＰＲＯＭ）、消去可能プログラマブル読取専用メモリ（ＥＰＲＯＭ）、プログラマブル読取専用メモリ（ＰＲＯＭ）、読取専用メモリ（ＲＯＭ）、磁気メモリ、フラッシュメモリ、磁気又は光ディスク等の任意のタイプの揮発性又は不揮発性メモリデバイス、又は、それらの組合せにより構成することができる。
【０１２０】
電力部１３０６は、装置１３００の様々な部に電力を供給するように構成されている。電力部１３０６は、電力管理システムと、一つ又は複数の電源と、装置１３００における電力の生成、管理及び配電に関連する他の任意の部材とを備えることができる。
【０１２１】
マルチメディア部１３０８は、装置１３００とユーザとの間の出力インタフェースを形成するスクリーンを備える。いくつかの実施形態において、前記スクリーンは、液晶ディスプレイ（ＬＣＤ）及びタッチパネル（ＴＰ）を含むことができる。当該スクリーンがタッチパネルを含む場合、ユーザからの入力信号を受け取るために、スクリーンをタッチスクリーンとして構成することができる。当該タッチパネルは、接触、スワイプ及びタッチパネルにおけるその他の動作を感知する一つ以上のタッチセンサを含む。当該タッチセンサは、接触又はスワイプ動作の境界を感知するだけではなく、接触動作又はスワイプ動作の継続時間及び圧力も感知してもよい。いくつかの実施形態において、マルチメディア部１３０８は、フロントカメラ及び／又はリアカメラを含む。装置１３００が、撮影モード又はビデオモード等の動作モードになっている場合、フロントカメラ及び／又はリアカメラは、外部マルチメディアデータを受け取ることができる。フロントカメラ及びリアカメラの各々は、固定光学レンズシステムであってもよく、又は、焦点及び光学ズーム性能を有することができる。
【０１２２】
オーディオ部１３１０は、オーディオ信号を出力及び／又は入力するように構成されている。例えば、オーディオ部１３１０は、マイクロフォン（ＭＩＣ）を備え、当該マイクロフォンは、装置１３００がコールモード、記録モード及び音声認識モード等の操作モードになっている場合、外部オーディオ信号を受け取るように構成されている。受け取ったオーディオ信号は、さらにメモリ１３０４に格納してもよく、又は、通信部１３１６を介して送信してもよい。いくつかの実施形態において、オーディオ部１３１０はオーディオ信号を出力するスピーカーを更に備える。
【０１２３】
入出力インタフェース１３１２は、プロセシング部１３０２と、キーボード、クリックホイール、ボタン等の周辺インタフェースモジュールとの間のインタフェースを提供するように構成されている。前記ボタンは、ホームボタン、ボリュームボタン、スタートボタン及びロックボタンを含むことができるが、これらに限定されるものではない。
【０１２４】
センサ部１３１４は、装置１３００の種々な態様に関する状態評価を提供するために、一つ又は複数のセンサを含む。例えば、センサ部１３１４は、装置１３００の開閉状態、装置１３００の各要素（例えば、表示スクリーンやキーパッド）の相対位置を検出してもよい。更に、センサ部１３１４は、装置１３００又は装置１３００の要素の位置の変化、装置１３００に対するユーザの接触の有無、装置１３００の方位又は加速／減速、及び、装置１３００の温度の変化を検出してもよい。センサ部１３１４は、何らかの物理的接触を伴うことなく、近傍の物体の存在を検出するように構成された近接センサを更に含んでもよい。センサ部１３１４は、更に、撮像用途に用いるためのＣＭＯＳ又はＣＣＤイメージセンサ等の光センサも含んでもよい。いくつかの実施形態においては、センサ部１３１４は、加速度計、ジャイロスコープセンサ、磁気センサ、圧力センサ又は温度センサを含んでもよい。
【０１２５】
通信部１３１６は、装置１３００と他の端末との間の有線又は無線の通信を容易にするように構成されている。装置１３００は、ＷｉＦｉ、２Ｇ若しくは３Ｇ、又は、これらの組合せ等の通信規格に基づいて、無線ネットワークにアクセスすることができる。一つの実施例において、通信部１３１６は、放送チャネルを介して外部放送管理システムからの放送信号又は放送関連情報を受信する。一つの例示的実施形態において、通信部１３１６は、近距離通信を容易にするための近距離無線通信（ＮＦＣ）モジュールを更に備える。例えば、ＮＦＣモジュールは、無線周波数識別（ＲＦＩＤ）技術、赤外線データ通信協会（ＩｒＤＡ）技術、超広帯域無線通信（ＵＷＢ）技術、ブルートゥース（登録商標）（ＢＴ）技術、又は、その他の技術に基づいて実施することができる。
【０１２６】
例示的実施形態において、装置１３００は、上述した方法を実行するために、特定用途向け集積回路（ＡＳＩＣ）、デジタル信号プロセッサ（ＤＳＰ）、デジタル信号処理装置（ＤＳＰＤ）、プログラマブルロジック装置（ＰＬＤ）、フィールドプログラマブルゲートアレイ（ＦＰＧＡ）、コントローラ、マイクロコントローラ、マイクロプロセッサ、又は、その他の電子部材等の一つ以上の電子部材を用いて実施することができる。
【０１２７】
例示的実施形態においては、上述した方法を実行するために、命令を含む非一時的なコンピュータ読取可能記憶媒体、例えば、装置１３００のプロセッサ１３２０によって実行可能な命令を含むメモリ１３０４も設けられる。例えば、前記非一時的なコンピュータ読取可能記憶媒体は、ＲＯＭ、ＲＡＭ、ＣＤ−ＲＯＭ、磁気テープ、フレキシブルディスク、光データ記憶装置等とすることができる。
【０１２８】
非一時的なコンピュータ読取可能メモリ媒体であって、メモリ媒体に指令が記録され、携帯端末のプロセッサにより実行する場合に、携帯端末によりクラウド名刺の推薦方法を実行させる、当該方法は、
第一連絡人のクラウド名刺と、第二連絡人の端末に保存された連絡人情報を取得するステップと、クラウド名刺はクラウド名刺アバターを含み、連絡人の情報は連絡人のアバターを含み、
クラウド名刺のアバターと連絡人のアバターと比較するステップと、
クラウド名刺と連絡人のアバターとがマッチングした場合は、第一連絡人のクラウド名刺を第二連絡人に推薦するステップと、を含む。
【０１２９】
クラウド名刺のアバターと連絡人のアバターと比較するステップは、
クラウド名刺のアバターと連絡人アバターとの第一類似度を算出するサブステップと、
第一類似度が予め設定された類似度に達した場合、クラウド名刺のアバターが連絡人のアバターとマッチングすると決定するサブステップと、を含む。
【０１３０】
クラウド名刺のアバターと連絡人のアバターとを比較するステップは、
クラウド名刺のアバターと連絡人のアバターとから、顔画像をそれぞれ抽出するステップと、
クラウド名刺のアバターの顔画像と連絡人のアバターの顔画像とを比較するステップと、
クラウド名刺のアバターの顔画像と連絡人のアバターの顔画像とがマッチングする場合、クラウド名刺のアバターと連絡人のアバターとがマッチングすると決定するステップと、を含む。
【０１３１】
第一類似度が予め設定された類似度に達した場合、クラウド名刺のアバターと連絡人のアバターとを比較するステップは、
サーバに保存された全てのクラウド名刺のアバターと連絡人のアバターとでのクラウド名刺のアバター又は連絡人のアバターの出現回数を決定するサブステップと、
出現回数が予め設定された回数以下である場合、クラウド名刺のアバターと連絡人のアバターとがマッチングすると決定するサブステップとを含む。
【０１３２】
出現回数が予め設定された回数より多い場合、クラウド名刺のアバターと連絡人のアバターとを比較するステップは、
出現回数と第一類似度とに基づいてクラウド名刺のアバターと連絡人のアバターとの第二類似度を算出し、出現回数が多いほど第一類似度に対して第二類似度が小さくなるサブステップと、
第二類似度が予め設定された類似度に達するか否かを判断するサブステップと、
第二類似度が予め設定された類似度に達していない場合、クラウド名刺のアバターは連絡人のアバターとマッチングしないと決定するサブステップと、を更に含む。
【０１３３】
当該方法は、
クラウド名刺のアバターと連絡人のアバターとを正規化処理し、クラウド名刺のアバターと連絡人のアバターとの標準アバターを取得するステップと、
標準アバターから予め設定された規則により特徴点を抽出するステップと、
クラウド名刺のアバターと連絡人のアバターとの標準アバターを比較するステップと、を更に含み、
クラウド名刺のアバターと連絡人のアバターとを比較するステップは、
クラウド名刺のアバターと連絡人のアバターとの標準アバターの特徴点を比較するサブステップと、
特徴点の比較結果に基づいて、クラウド名刺のアバターと連絡人のアバターとがマッチングするか否かを決定するサブステップと、を含む。
【０１３４】
当該方法は、
クラウド名刺のアバターの顔画像と連絡人のアバターの顔画像とを正規化処理し、クラウド名刺のアバターの標準顔画像と連絡人のアバターの標準顔画像とを取得するステップと、
予め設定された規則により標準顔画像から特徴点を抽出するステップと、
クラウド名刺のアバターの顔画像と連絡人のアバターの標準顔画像とを比較するステップと、を含み、
前記照合ステップは、
クラウド名刺のアバターの標準顔画像の特徴点と連絡人のアバターの標準顔画像の特徴点とを比較するサブステップと、
特徴点の比較結果に基づいて、クラウド名刺のアバターの顔画像と連絡人のアバターの顔画像とがマッチングするか否かを決定するサブステップと、を含む。
【０１３５】
図１４は一例示的実施形態によるクラウド名刺の推薦装置１４００のブロック図である。例えば、装置１４００はサーバとして提供される。図１４を参照し、装置１４００は、一つ又は複数のプロセッサを有するプロセシング部１４２２と、プロセシング部１４２２が実行できる指令（例えば、アプリケーションプログラム）を格納するために、メモリ１４３２に代表されたメモリ資源とを含む。メモリ１４３２に格納したアプリケーションは、一つのグループの指令ごとにそれぞれ対応する一つ又は複数のモジュールを含む。なお、プロセシング部１４２２は、指令を実施するように構成され、以下の方法を実行する。
【０１３６】
第一連絡人のクラウド名刺と、第二連絡人の端末に保存された連絡人情報とを取得するステップと、クラウド名刺はクラウド名刺アバターを含み、連絡人の情報は連絡人のアバターを含み、
クラウド名刺のアバターと連絡人のアバターとを比較するステップと、
クラウド名刺と連絡人のアバターとがマッチングした場合は、第一連絡人のクラウド名刺を第二連絡人に推薦するステップと、を含む。
【０１３７】
クラウド名刺と連絡人のアバターとを比較するステップは、
クラウド名刺と連絡人アバターとの第一類似度を算出するサブステップと、
第一類似度が予め設定された類似度に達した場合、クラウド名刺のアバターと連絡人のアバターとがマッチングすると決定するサブステップとを含む。
【０１３８】
クラウド名刺と連絡人のアバターとを比較するステップは、
クラウド名刺のアバターと連絡人のアバターとから顔画像をそれぞれ抽出するサブステップと、
クラウド名刺のアバターの顔画像と連絡人のアバターの顔画像とを比較するサブステップと、
クラウド名刺のアバターの顔画像と連絡人のアバターの顔画像とがマッチングする場合、クラウド名刺のアバターと連絡人のアバターとがマッチングすると決定するサブステップと、を含む。
【０１３９】
第一類似度が予め設定された類似度に達した場合、クラウド名刺のアバターと連絡人のアバターとを比較するステップは、
サーバに保存された全てのクラウド名刺のアバターと連絡人のアバターとでのクラウド名刺のアバター又は連絡人のアバターの出現回数を決定するサブステップと、
出現回数が予め設定された回数以下である場合、クラウド名刺のアバターと連絡人のアバターとがマッチングすると決定するサブステップと、を含む。
【０１４０】
出現回数が予め設定された回数より多い場合、クラウド名刺のアバターと連絡人のアバターとを比較するステップは、
出現回数と第一類似度とに基づいてクラウド名刺のアバターと連絡人のアバターとの第二類似度を算出し、出現回数が多いほど第一類似度に対して第二類似度が小さくなるサブステップと、
第二類似度が予め設定された類似度に達したか否かを判断するサブステップと、
第二類似度が予め設定された類似度に達していない場合、クラウド名刺のアバターはと連絡人のアバターとがマッチングしないと決定するサブステップと、を更に含む。
【０１４１】
当該方法は、
クラウド名刺のアバターと連絡人のアバターとを正規化処理し、クラウド名刺のアバターの標準アバターと連絡人のアバターの標準アバターとを取得するステップと、
標準アバターから予め設定された規則により特徴点を抽出するステップと、を含み
クラウド名刺のアバターの標準アバターと連絡人のアバターの標準アバターとを比較するステップは、
クラウド名刺のアバターの標準アバターの特徴点と連絡人のアバターの標準アバターの特徴点とを比較するサブステップと、
特徴点の比較結果に基づいて、クラウド名刺のアバターと連絡人のアバターとがマッチングするか否かを決定するサブステップとを含む。
【０１４２】
当該方法は、
クラウド名刺のアバターの顔画像と連絡人のアバターの顔画像とを正規化処理し、クラウド名刺のアバターの標準顔画像と連絡人のアバターの標準顔画像とを取得するステップと、
予め設定された規則により、標準顔画像から特徴点を抽出するステップと、
クラウド名刺のアバターの顔画像と連絡人のアバターの顔画像とを比較するステップと、を含み、
前記比較ステップは、
クラウド名刺のアバターの標準顔画像の特徴点と連絡人のアバターの標準顔画像の特徴点とを比較するサブステップと、
特徴点の比較結果に基づいてクラウド名刺のアバターの顔画像と連絡人のアバターの顔画像とがマッチングするか否かを決定するサブステップと、を含む。
【０１４３】
装置１４００は、装置１４００の電力管理を実行するように構成された電力部１４２６と、装置１４００をネットワークに接続するように構成された有線又は無線ネットワークインタフェース１４５０と、入出力（Ｉ／Ｏ）インタフェース１４５８と、を含む。装置１４００は、メモリ１４３２に格納したオペレーティングシステムに基づいて操作できる、例えば、Ｗｉｎｄｏｗｓ  ＳｅｒｖｅｒTM，Ｍａｃ  ＯＳ ＸTM，ＵｎｉｘTM，ＬｉｎｕｘTM，ＦｒｅｅＢＳＤTM、又は、類似のシステムである。
【０１４４】
本発明の他の実施例は、本明細書に開示された本発明の実施例により当業者にとって明らかになるであろう。本出願は、本発明の如何なる変形、用途又は適切な変化を包含することを意図しており、これらの変形、用途又は適切な変化は、本発明の一般的な原理に基づいたものであると共に、本明細書により開示されていない当該技術分野における公知技術又は慣用手段を含むものとする。明細書及び実施例は、あくまでも例示的な記載に過ぎず、本発明の真の範囲及び趣旨は特許請求の範囲に基づいたものとなる。
【０１４５】
本発明は、上記の記載及び添付の図面により記載された詳細な構成に限定されるものではなく、本発明の範囲から逸脱することなく、種々の変更及び変形を行うことが可能であると理解されるべきである。本発明の範囲は、特許請求の範囲に基づいて限定するものであることが意図される。
【図１】
0006343388.tif 000002
【図２】
0006343388.tif 000003
【図３】
0006343388.tif 000004
【図４】
0006343388.tif 000005
【図５】
0006343388.tif 000006
【図６】
0006343388.tif 000007
【図７】
0006343388.tif 000008
【図８】
0006343388.tif 000009
【図９】
0006343388.tif 000010
【図１０】
0006343388.tif 000011
【図１１】
0006343388.tif 000012
【図１２】
0006343388.tif 000013
【図１３】
0006343388.tif 000014
【図１４】
0006343388.tif 000015